(57)【要約】      （修正有）【課題】利便性の高いコンパス及びディバイダを提供する。【解決手段】把持部１１と、前記把持部に対して回動可能に接続された第１の脚部１２及び第２の脚部１３と、前記第１の脚部の、把持部とは反対の端に配置された第１の先端部１４と、前記第２の脚部の、把持部とは反対の端に配置された第２の先端部１５と、を有し、前記第１の先端部はタッチパネル用ペン先を有し、前記第２の先端部は滑り止め用樹脂部を有する、コンパスである。前記ペン先及び前記滑り止め用樹脂部は、導電性樹脂であってもよい。【選択図】図１
2018176515.tif 000002
【特許請求の範囲】
【請求項１】
把持部と、
前記把持部に対して回動可能に接続された第１の脚部及び第２の脚部と、
前記第１の脚部の、把持部とは反対の端に配置された第１の先端部と、
前記第２の脚部の、把持部とは反対の端に配置された第２の先端部と、
を有し、
前記第１の先端部はタッチパネル用ペン先を有し、
前記第２の先端部は滑り止め用樹脂部を有する、
コンパス。
【請求項２】
前記ペン先は、導電性樹脂であり、
前記滑り止め用樹脂部は絶縁性樹脂である、
請求項１に記載のコンパス。
【請求項３】
前記滑り止め用樹脂部は透明であり、内部に針部が存在する、
請求項１又は２に記載のコンパス。
【請求項４】
把持部と、
前記把持部に対して回動可能に接続された第１の脚部及び第２の脚部と、
前記第１の脚部の、把持部とは反対の端に配置された第１の先端部と、
前記第２の脚部の、把持部とは反対の端に配置された第２の先端部と、
を有し、
前記第１の先端部及び前記第２の先端部が滑り止め用樹脂部を有する、
ディバイダ。
【請求項５】
前記滑り止め用樹脂部が導電性樹脂である、
請求項４に記載のディバイダ。
【請求項６】
前記導電性樹脂は透明であり、内部に針部が存在する、
請求項５に記載のディバイダ。
【請求項７】
使用者が表示部において移動させた軌跡の情報に基づいて該軌跡を記録して表示する描画部と、
表示装置において移動させたコンパスの軌跡を画像として形成し、前記表示装置に表示することができる表示部と、を有し、
前記コンパスは、把持部と、前記把持部に対して回動可能に接続された第１の脚部及び第２の脚部と、前記第１の脚部の、把持部とは反対の端に配置された第１の先端部と、前記第２の脚部の、把持部とは反対の端に配置された第２の先端部と、を有し、前記第１の先端部はタッチパネル用ペン先を有し、前記第２の先端部は滑り止め用樹脂部を有する、コンパスである、
表示装置。
【請求項８】
前記表示装置とは、海図表示装置又は電子黒板式表示装置である、
請求項７に記載の表示装置。
【発明の詳細な説明】
【技術分野】
【０００１】
本発明は、コンパス及びディバイダに関する。より詳細には、海図電子黒板用及び海図用のコンパス及びディバイダに関する。また、これらを使用した海図表示装置及び電子黒板にも関する。
【背景技術】
【０００２】
電子黒板技術がある。たとえば、特許文献１では、「複数のタッチ座標を取得可能なタッチパネルと、前記タッチパネルを介して第１および第２のタッチ座標を取得することによって、前記タッチパネルに、前記第１および第２のタッチ座標に対応する位置に、前記第１および第２のタッチ座標を結ぶ線と平行に、定規を表示させるためのプロセッサとを備える、電子機器」が開示されており、画面上の所定のアイコンをクリックすることで、ソフト上で線の描画を可能とする。
【０００３】
現在までに、入力側デバイスであるタッチペンは、様々な進歩を遂げてきた。タッチペンでの製図なども可能となってきている。このようなＩＣＴ分野では、たとえば円を描く場合には、ソフトウェア上で円を描いている。また、ある点とある点との距離を測る場合には、ソフトウェア上で２点間の距離を表示するメジャーを表示したり、２点をクリックしたりして測ることも可能である。
【先行技術文献】
【特許文献】
【０００４】
【特許文献１】特開２００３−１２３０８８号公報
【発明の概要】
【０００５】
しかし上記では、必ずしも利便性の高いとは言えなかった。そこで、本発明は、利便性の高いコンパス及びディバイダを提供する。また、より利便性の高い表示装置（たとえば、海図表示装置及び電子黒板）を提供する。
【課題を解決するための手段】
【０００６】
本発明の一実施形態として、把持部と、前記把持部に対して回動可能に接続された第１の脚部及び第２の脚部と、前記第１の脚部の、把持部とは反対の端に配置された第１の先端部と、前記第２の脚部の、把持部とは反対の端に配置された第２の先端部と、を有し、前記第１の先端部はタッチパネル用ペン先を有し、前記第２の先端部は滑り止め用樹脂部を有する、コンパスが提供される。
【０００７】
上記構成によって、タッチパネルにおいて円を描き又は距離を測ることができる利便性の高いコンパスを提供することができる。
【０００８】
本発明の一実施形態において、前記ペン先及び前記滑り止め用樹脂部は、導電性樹脂であってもよい。
【０００９】
上記構成によって、コンパスの中心点及び円の軌跡を何れも把握可能となる点で利便性の高いコンパスを提供することができる。
【００１０】
本発明の一実施形態において、前記ペン先は、導電性樹脂であり、前記滑り止め用樹脂部は絶縁性樹脂であってもよい。
【００１１】
上記構成によって、利便性の高いコンパスを提供することができる。
【００１２】
本発明の一実施形態において、把持部と、前記把持部に対して回動可能に接続された第１の脚部及び第２の脚部と、前記第１の脚部の、把持部とは反対の端に配置された第１の先端部と、前記第２の脚部の、把持部とは反対の端に配置された第２の先端部と、を有し、前記第１の先端部及び前記第２の先端部が滑り止め用樹脂部を有する、ディバイダが提供される。
【００１３】
上記構成によって、利便性の高いディバイダを提供することができる。
【００１４】
本発明の一実施形態に係るディバイダにおいて、前記滑り止め用樹脂部が導電性樹脂であってもよい。
【００１５】
上記構成によって、実体物であるディバイダを使用しつつデジタル方式で距離を測定することのできる、利便性の高いディバイダを提供することができる。
【００１６】
本発明の一実施形態において導電性樹脂中に針部が存在してもよい。
【００１７】
前記針部を有することで、ディバイダの指す位置が分かり易くなり、正確に距離を測ることができる。
【００１８】
本発明の一実施形態に係る表示装置は、使用者が表示部において移動させた軌跡の情報に基づいて該軌跡を記録して表示する描画部と、表示装置において移動させたコンパスの軌跡を画像として形成し、前記表示装置に表示することができる表示部と、を有し、前記コンパスは、把持部と、前記把持部に対して回動可能に接続された第１の脚部及び第２の脚部と、前記第１の脚部の、把持部とは反対の端に配置された第１の先端部と、前記第２の脚部の、把持部とは反対の端に配置された第２の先端部と、を有し、前記第１の先端部はタッチパネル用ペン先を有し、前記第２の先端部は滑り止め用樹脂部を有する、コンパスである、表示装置である。
【００１９】
上記構成によって、実体物であるコンパスを使用しつつデジタル方式で円を描き又は距離を測ることができる利便性の高いディバイダを提供することができる。
【００２０】
本発明の一実施形態に係る表示装置は、海図表示装置又は電子黒板式表示装置であってもよい。
【００２１】
本発明の一実施形態によれば利便性の高い海図表示装置又は電子黒板式表示が提供される。
【発明の効果】
【００２２】
本発明によれば、利便性の高いコンパス及びディバイダを提供することができる。また、より利便性の高い表示装置（海図表示装置及び電子黒板）を提供することができる。
【図面の簡単な説明】
【００２３】
【図１】本発明の一実施形態に係るコンパス１０を示す図面である。
【図２】本発明の一実施形態に係るコンパス１０を示す図面である。図２は図１の紙面左右方向からコンパス１０を観た際の図面である。
【図３】本発明の一実施形態に係るディバイダ２０を示す図面である。
【図４】本発明の一実施形態に係るディバイダ２０の先端部の拡大図である。
【発明を実施するための形態】
【００２４】
以下、本発明の各実施の形態について、図面等を参照しつつ説明する。但し、本発明は、その要旨を逸脱しない範囲において様々な態様で実施することができ、以下に例示する実施の形態の記載内容に限定して解釈されるものではない。
【００２５】
また、図面は、説明をより明確にするため、実際の態様に比べ、各部の幅、厚さ、形状等について模式的に表される場合があるが、あくまで一例であって、本発明の解釈を限定するものではない。また、本明細書と各図において、既出の図に関して説明したものと同様の機能を備えた要素には、同一の符号を付して、重複する説明を省略することがある。
【００２６】
［本発明者らが発見した従来技術の問題点］
現在、円を描く場合には、ソフトウェア上で円を描いている。また、ある点とある点との距離を測る場合には、ソフトウェア上で２点間の距離を測っている。しかしながら、こういった操作を行うためには、一定程度のコンピュータスキルが必要であり、昔ながらの操作を好む年配者や、コンピュータに慣れていない者等にとって、不便を強いるものであった。
【００２７】
上記にも拘わらず、昔ながらの操作を好む年配者や、コンピュータに慣れていない者に親しみやすいコンパス及びディバイダは全く開発されてこなかった。本件発明者らは、現在までに紙面上で使われてきたコンパス及びディバイダを最先端技術の「タッチパネル」において使用できないか、検討し、驚くべきことに、きわめて簡易な構成によって、現在までに紙面上で使われてきたコンパス及びディバイダを最先端技術の「タッチパネル」において使用することができるということを発見するに至った。すなわち、本発明者らの本件発明によれば、海図分野及び電子黒板において、実際のコンパス及びディバイダをタッチパネル式液晶表示装置等において入力装置等として使用することで、従来までアナログ的な操作性を維持しつつ、現在のタッチパネル式液晶表示装置における描画及び距離の測定を可能にすることができる。
【００２８】
［実施形態１］
［コンパス１０の構成］
本実施形態において、タッチパネル式表示装置上で、円を描画するためのコンパスを説明するための模式図である。コンパス１０は、使用者が把持するための把持部１１と、把持部１１から延びる２本の脚（第１脚１２及び第２脚１３）を有する（図１、図２）。把持部１１は原則として円柱形状である。一般に把持とは、手又は指で持つことができることを意味するが、本明細書においては、右手親指及び人差し指でつまむことができるように構成されていれば足りる。
【００２９】
第１脚１２と第２脚１３とが成す角θは、把持部１１を中心として自在に可変である。すなわち、脚は任意の角度で開くことが可能である。本発明においてθの取り得る値の範囲は０度から１８０度までであるが、必ずしも１８０度まで開くように構成されていなければならないものではない。
【００３０】
第１脚１２の先端部１４には、表示装置との接触状態を検出するためのセンサ部として使用されるペン先が設けられ、かかるペン先は導電材である。図面では、皿状のペン先を図示して説明を行っている。本発明においては、従来のコンパスで使用されていた黒鉛の代替として導電性樹脂を用いるから、簡易な構成によってタッチパネル式の表示装置において入力を可能とすることができる。
【００３１】
第２脚１３の先端部１５には、支点コンパス脚となるために樹脂を配置する。通常、コンパスにはコンパス支点針が設けられているものの、本発明では、コンパス支点針に対して、シリコンチューブ（例えば、φ３ｍｍ、内径１ｍｍ）を差し込み、コンパス支点針とチューブとの間の間隙部分には、シリコン樹脂を充填する。シリコンチューブの硬さは硬度６０〜７０程度が好ましい。
【００３２】
［コンパス１０の使用方法］
このコンパス１０によって円を描画する際には、第２脚１３の先端部を描画する描画したい円の中心点に配置し、第１脚１２の先端部１４を描画したい円の円周上において周回移動させる。この際、コンパスの脚部は回動可能に接続されているから、θが可変である。これによって、様々なサイズの円を描くことが可能である。
【００３３】
また、人が円を描くときにコンパスを抑える力で生じる圧力によって、シリコン製のチューブが弾性変形を起こす。この弾性変形による反発力と、チューブの先端部にまで広がった接着面で生じる摩擦力とが働くために、中心点からずれることなく、円を描くことが可能となる。なお、シリコン製チューブの先端部分については、球のような凸面形状であってもよいし、平面形状であってもよい。凸面形状とする場合においてはシリコンチューブで凸面を形成してもよいし、シリコン樹脂で凸面を形成してもよい。
【００３４】
さらに、コンパス支点針に対して、シリコンチューブを差し込んでいるため、コンパス支点針の先端を見ることで、円の中心を正確に把握することができ、中心点に正確に針先を置くことができる。針先に非導電性材料を採用する場合には、タッチパネルに反応が出ない。このため、中心点に針先を置いた際、タッチパネルが誤作動を起こしてしまう虞がない。
【００３５】
［表示装置での動作方法］
表示装置としては、タッチパネル式のＥＬ表示装置、液晶表示装置など公知のタッチパネル式表示装置一般に適用可能である。表示装置上での使用方法としては、コンパス１０の２本の脚１２、１３の各先端部を接触させると、脚１２の先端部１４がタッチパネル用ペン先であることによって、表示装置のセンサが作動し、表示装置にタッチする物体の存在が感知される。描画モード等を起動し、円を描くようにコンパスを回転させると、先端部１４の軌跡に関する情報が、表示装置のタッチパネルに関する入力部から記憶部に送信され、場合によっては同表示装置に軌跡として表示される。このとき、先端部１４に接続される導電体の導電率を所定の値にあらかじめ定めておくことで、導電率が第１の所定範囲内の物体はコンパス、第２の所定範囲内の物体はディバイダ、等と入力デバイスの種類を区別することが可能である。表示装置は海図表示装置や電子黒板であってもよい。また、コンパスは一般的に親指と人差し指で把持するサイズのものではなく、電子黒板用の大きなサイズのコンパスであってもよい。
【００３６】
［ディバイダ２０の構成］
本発明の一実施形態において、距離を測定するためのディバイダ２０を説明するための模式図である。ディバイダ２０は、使用者が把持するための把持部２１と、把持部２１から延びる２本の脚（第１脚１２及び第２脚１３）を有する（図３）。把持部２１は原則として円柱形状である。一般に把持とは、手又は指で持つことができることを意味するが、本明細書においては、右手親指及び人差し指でつまむことができるように構成されていれば足りる。
【００３７】
第１脚２２と第２脚２３とが成す角θは、把持部２１を中心として自在に可変である。すなわち、脚は任意の角度で開くことが可能である。本発明においてθの取り得る値の範囲は０度から１８０度までであるが、必ずしも１８０度まで開くように構成されていなければならないものではない。
【００３８】
第１脚２２の先端部２４及び第２脚の先端部２５には、表示装置との接触状態を検出するためのセンサ部として導電材が設けられてもよい。図面では、本実施形態においては、従来のコンパスで使用されていた黒鉛の代替として導電性樹脂を用いる。かかる構成を有するため、本発明では簡易な構成によってタッチパネル式の表示装置において入力を可能とすることができる。
【００３９】
第２脚２３の先端部２４及び第２脚の先端部２５には、支点となるために樹脂を配置する。通常、ディバイダにはディバイダ用支点針が設けられているが、本発明では、支点針に対して、シリコンチューブ（例えば、φ３ｍｍ、内径１ｍｍ）を差し込み、支点針とチューブとの間の間隙部分には、シリコン樹脂を充填する。シリコンチューブの硬さは硬度６０〜７０程度が好ましい。
【００４０】
［ディバイダ２０の使用方法］
このディバイダ２０によって距離を測る際には、第２脚１３の先端部を所定の開始位置に配置し、第１脚１２の先端部１４を距離を測りたい方向の場所に触れさせ、次に、先端部１４を回転中心に第２脚１３を回転させた後に第２の脚の先端部１５を距離を測りたい方向の場所に触れさせ、と続けていくことで、ディバイダを１回以上回転させてその回数から距離を計測する。この際、コンパスの脚部は回動可能に接続されているから、θが可変である。これによって、様々なサイズの距離を測ることが可能である。
【００４１】
また、上記のように樹脂体を配置したから、人がディバイダを抑える時に生じる圧力によって、シリコン製のチューブが弾性変形を起こす。この弾性変形による反発力と、チューブの先端部にまで広がった接着面で生じる摩擦力とが働くために、中心点からずれることなく、ディバイダを使用できるため、正確に距離を測ることができる。なお、シリコン製チューブの先端部分については、球のような凸面形状であってもよいし、平面形状であってもよい。凸面形状とする場合においてはシリコンチューブで凸面を形成してもよいし、シリコン樹脂で凸面を形成してもよい。
【００４２】
さらに、支点針に対して、シリコンチューブを差し込んでいるため、支点針の先端を見ることで、開始点を正確に把握でき、正確に距離を測ることができる。針先に非導電性材料を採用する場合には、タッチパネルに反応が出ない。このため、中心点に針先を置いた際、タッチパネルが誤作動を起こしてしまう虞がない。他方、針先に導電性材料を使用する場合には、２点間の距離をタッチパネルによって認識させることができる。したがって、ハードのディバイダを使用しつつソフトウェア上で２点間の距離を表示させることができる。
【００４３】
［変形例］
ディバイダの先端部２５に配置された樹脂内は針部２６が存在してもよく、導電性樹脂が透明に構成されて埋め込まれた針部２６が外部から見えるように構成されていてもよい（図４）。このように構成されることによって、針部２６の先端を見ればディバイダの指す位置が分かり易くなるから、正確に距離を測ることができる。なお、先端部２４も同様に針部を設けてもよい。
【図１】
2018176515.tif 000003
【図２】
2018176515.tif 000004
【図３】
2018176515.tif 000005
【図４】
2018176515.tif 000006